(57)【要約】【課題】  木質フロアや表面コーティングした木質フロアを長期間洗浄してもコーティングの下の木質床材どうしが接触する箇所で反り上がるということのない木の一時的な反り防止剤および木質フロアや表面コーティングした木質フロアのメンテナンス用洗浄剤を提供する。【解決手段】木質フロアまたは表面コーティングした木質フロアに付与することにより接触する木質床材どうしの反りを一時的に抑制する木の一時的反り防止剤であって、前記木の一時的反り防止剤は、２０℃で液状である疎水性の液状ポリマーであり、木質フロアまたは表面コーティングした木質フロアに付与し木の表面または表面近傍を一時的に疎水性として木質床材どうしの反りを一時的に抑制する木の一時的反り防止剤；木の一時的反り防止剤を０．１質量％以上５質量％以下、および炭素数６以上１８以下の脂肪族炭化水素を９５質量％以上含むことを特徴とする木質フロアまたは表面コーティングした木質フロアのメンテナンス用洗浄剤である。【選択図】図１
2019105150.tif 000002
【特許請求の範囲】
【請求項１】
木質フロアまたは表面コーティングした木質フロアに付与することにより接触する木質床材どうしの反りを一時的に抑制する木の一時的反り防止剤であって、
前記木の一時的反り防止剤は、２０℃で液状である疎水性の液状ポリマーであり、木質フロアまたは表面コーティングした木質フロアに付与し木の表面または表面近傍を一時的に疎水性として木質床材どうしの反りを一時的に抑制する木の一時的反り防止剤。
【請求項２】
前記２０℃で液状である疎水性の液状ポリマーが、液状ポリ酢酸ビニル系樹脂、液状ウレタン系樹脂、液状アクリル系樹脂、液状ポリエステル系樹脂、液状ポリオレフィン樹脂、液状ポリオキシアルキレンオキシド樹脂、液状ポリアミド系樹脂、液状ポリスルフィド系樹脂、液状シリコーン系樹脂、液状可撓性エポキシ系樹脂、液状天然ゴムから選択される１種または２種以上であることを特徴とする請求項１記載の木の一時的反り防止剤。
【請求項３】
前記２０℃で液状である疎水性の液状ポリマーが、液状ポリオレフィン樹脂であることを特徴とする請求項１または２記載の木の一時的反り防止剤。
【請求項４】
前記２０℃で液状である疎水性の液状ポリマーの重量平均分子量が１００以上１０．０００以下であることを特徴とする請求項１ないし３のいずれか１項に記載の木の一時的反り防止剤。
【請求項５】
請求項１ないし４のいずれか１項に記載の木の一時的反り防止剤を溶媒で希釈混合して、木質フロアまたはコーティングした木質フロアに付与することを特徴とする木の一時的反り防止剤の使用方法。
【請求項６】
請求項１ないし４のいずれか１項に記載の木の一時的反り防止剤を０．１質量％以上５質量％以下、および炭素数６以上１８以下の脂肪族炭化水素を９５質量％以上含むことを特徴とする木質フロアまたは表面コーティングした木質フロアのメンテナンス用洗浄剤。
【請求項７】
請求項１ないし４のいずれか１項に記載の木の一時的反り防止剤または請求項６記載のメンテナンス用洗浄剤を付与した木質フロアまたは表面コーティングした木質フロア。
【発明の詳細な説明】
【技術分野】
【０００１】  本発明は木に一時的に疎水性を付与する反り防止剤およびそれを含む木質フロアまたは表面コーティングした木質フロアのメンテナンス用洗浄剤に関する。
【背景技術】
【０００２】  従来から、木質フロア、体育館などのメンテナンス用洗浄剤として水性ワックスなどが用いられている（たとえば、特許文献１）。体育館などは木質フロアの上にウレタンコーティングが施されており、定期的に洗浄されている。木質フロアや体育館などのコーティング床は木質床材が敷き詰められて木質床材どうしが接着剤で繋がっている。
【先行技術文献】
【特許文献】
【０００３】
【特許文献１】特開平９−１７６４９３号公報
【発明の概要】
【発明が解決しようとする課題】
【０００４】  しかしながら、体育館などでは激しく運動が繰り返されるため、長期間上記のメンテナンス洗浄剤で洗浄しているとコーティング膜が剥れてくる。そうすると表面コーティングの下の木質床材どうしが接触する箇所で反り上がってきて、フロアが平坦でなくなり運動する際に危険が生じるという問題が最近出てきている。
図１は、木質床材どうしが接触する箇所で反り上がる状態を示す模式的な断面図である。木質床材１が接触する箇所でコーティング膜２が剥れ３木の反り４が生じていることがわかる。【０００５】  本発明の目的は、木質フロアや表面コーティングした木質フロアを長期間洗浄してもコーティングの下の木質床材どうしが接触する箇所で反り上がるということのない、木の一時的反り防止剤および木質フロアや表面コーティングした木質フロアのメンテナンス用洗浄剤を提供することである。
【課題を解決するための手段】
【０００６】  本発明者らは、上記の課題に鑑み、鋭意研究の結果、２０℃で液状である疎水性の液状オリゴマーを木に付与すれば一定期間一時的に反りが防止できることを見出し、本発明を完成するに至った。【０００７】  請求項１に記載の発明は、木質フロアまたは表面コーティングした木質フロアに付与することにより接触する木質床材どうしの反りを一時的に抑制する木の一時的反り防止剤であって、
前記木の一時的反り防止剤は、２０℃で液状である疎水性の液状ポリマーであり、木質フロアまたは表面コーティングした木質フロアに付与し木の表面または表面近傍を一時的に疎水性として木質床材どうしの反りを一時的に抑制する木の一時的反り防止剤である。【０００８】  請求項２に記載の発明は、前記２０℃で液状である疎水性の液状ポリマーが、液状ポリ酢酸ビニル系樹脂、液状ウレタン系樹脂、液状アクリル系樹脂、液状ポリエステル系樹脂、液状ポリオレフィン樹脂、液状ポリオキシアルキレンオキシド樹脂、液状ポリアミド系樹脂、液状ポリスルフィド系樹脂、液状シリコーン系樹脂、液状可撓性エポキシ系樹脂、液状天然ゴムから選択される１種または２種以上であることを特徴とする請求項１記載の木の一時的反り防止剤である。【０００９】  請求項３に記載の発明は、前記２０℃で液状である疎水性の液状ポリマーが、液状ポリオレフィン樹脂であることを特徴とする請求項１または２記載の木の一時的反り防止剤である。【００１０】  請求項４に記載の発明は、前記２０℃で液状である疎水性の液状ポリマーの重量平均分子量が１００以上１０．０００以下であることを特徴とする請求項１ないし３のいずれか１項に記載の木の一時的反り防止剤である。【００１１】  請求項５に発明は、請求項１ないし４のいずれか１項に記載の木の一時的反り防止剤を溶媒で希釈混合して、木質フロアまたは表面コーティングした木質フロアに付与することを特徴とする一時的反り防止剤の使用方法である。【００１１】  請求項６に記載の発明は、請求項１ないし４のいずれか１項に記載の木の一時的反り防止剤を０．１質量％以上５重量％以下、および炭素数６以上１８以下の脂肪族炭化水素を９５重量％以上含むことを特徴とする木質フロアまたは表面コーティングした木質フロアのメンテナンス用洗浄剤である。【００１２】  請求項７に記載の発明は、請求項１ないし４のいずれか１項に記載の木の一時的反り防止剤、または請求項６記載のメンテナンス用洗浄剤を付与した木質フロアまたは表面コーティングした木質フロアである。
【発明の効果】
【００１３】  本発明によれば、木質フロアや表面コーティングした木質フロアに付与すると木質フロアの木質床材どうしが接触する箇所で反り上がるということのない木の一時的な反り防止剤、木質フロアや表面コーティングした木質フロアのメンテナンス用洗浄剤を提供することができる。また、木質フロアの木質床材どうしが接触する箇所で反り上がるということのない木質フロアまたは表面コーティングした木質フロアを提供することができる。
【図面の簡単な説明】
【００１４】
【図１】木質床材どうしが接触する箇所で反り上がる状態を示す模式的な断面図である。
【発明を実施するための形態】
【００１５】  以下、本発明の実施の形態につき、詳細に説明する。なお、本発明は、以下の実施の形態に限定されるものではない。本発明と同一および均等の範囲内において、以下の実施の形態に対して種々の変更を加えることが可能である。
【００１６】  本発明において、木質フロアとは木質床材がぎっしり敷き詰められて形成されたフロアのことをいう。また、表面コーティングした木質フロアとは木質フロアの表面にウレタン樹脂などでコーティングされたフロアのことをいう。
【００１７】（本発明に至った経緯）
木は水分の吸放出による膨潤／収縮を繰り返す。すなわち、木は吸湿して膨潤し、放湿して収縮する。表面コーティングした木質フロアのコーティングが劣化すると樹脂で覆われていない部分が生じ、そこから木の中に水分が滲入して木質床材が膨張し、全体を押し広げるように作用する。体育館などの表面コーティング床は木質床材が敷き詰められて外枠は固定されているので木質床材は枠から広がることはできない。内部から押し広げようとする力が働くと、隣り合う木質床材が膨張し両方の端の部分が押し上げられて反り上がる。したがって、木質フロアのコーティングが劣化しても樹脂で覆われていない部分からの水分の滲入を抑制できれば反りを出来ると考えた。そのためには木の表面およびその近傍を疎水化し、さらに中から疎水性物質が滲み出るようにすれば一定期間水が滲入しにくいのではないか。すなわち、従来のようにアルキルケテンダイマーやアルケニルコハク酸やトールオイルなどの疎水性物質の皮膜を木の表面に固定する方法では、固定された皮膜が呼吸する木には追随できず、皮膜の割れが生じ効果は持続しない。木に固定されないフリーの疎水性物質を木の中に入れ徐々に表面から滲み出すような方法をとれば割れや劣化も生じず一時的ではあるが効果を奏し、定期的にその物質を補給すれば効果が継続できるのではないかと考え、そのような物質として疎水性の液状ポリマーが比較的長い間木の中に留まって疎水性を付与することを見出し本発明に至った。
【００１８】（木の一時的反り防止剤）
本発明の木の一時的反り防止剤は、２０℃で液状である疎水性の液状ポリマー（以下、単に反り防止剤という場合がある）である。ここで液状とは流動性があることを指し、疎水性とは水に親和性がなく水に溶解しにくいことをいい、たとえば目安としては水への溶解度が１重量％以下のものが好ましい。また、本発明における「一時的に」とは、液状オリゴマーが木から無くなると木の表面の疎水性が消失するので、疎水性が消失するまでの期間が一時的であることをいう。
【００１９】  本発明における２０℃で液状である疎水性の液状ポリマーとしては、たとえば、液状ポリ酢酸ビニル系樹脂、液状ウレタン系樹脂、液状アクリル系樹脂、液状ポリエステル系樹脂、液状ポリオレフィン樹脂、液状ポリオキシアルキレン（炭素数３以上）オキシド樹脂、液状ポリアミド系樹脂、液状ポリスルフィド系樹脂、液状シリコーン系樹脂、液状可撓性エポキシ系樹脂、液状天然ゴムが挙げられる。
【００２０】  これらの内で好ましいのは液状ポリオレフィン樹脂であり、具体的には、液状ポリブテン：液状共役ジエン単独重合体及び共重合体：液状ポリα−オレフィン、液状エチレン／α−オレフィン共重合体、液状エチレン／α−オレフィン／非共役ジエン共重合体などが挙げられるがこれらに限定されない。また、これらを１種単独で用いてもよく、２種以上を併用してもよい。
【００２１】  液状ポリブテンとしては、たとえば、ポリノルマルブテン、水添ポリノルマルブテン、ポリイソブテン、水添ポリイソブテン、ノルマルブテンとイソブテンの共重合により得られるポリブテン、ノルマルブテンとイソブテンの共重合により得られるポリブテンの水添品などが挙げられる。市販品としては、たとえば、日石ポリブテンＬＶシリーズ、ＨＶシリーズ（新日本石油社）、ニッサンポリブテン０Ｎ、０６Ｎ、０１５Ｎ、３Ｎ、５Ｎ、１０Ｎ、３０Ｎ、２００Ｎ（日油社）、ポリブテン０Ｈ、５Ｈ、１０Ｈ、３００Ｈ、２０００Ｈ、０Ｒ、１５Ｒ、３５Ｒ、１００Ｒ、３５０Ｒ（出光石油化学社）、液状ポリイソブテンとして、Ｔｅｔｒａｘ３Ｔ、４Ｔ、５Ｔ、６Ｔ（新日本石油社）、などが使用できる。
【００２２】  液状共役ジエン単独重合体及び共重合体としては、共役ジエン（ブタジエン、イソプレン、クロロプレンなど）の単独重合体の他に、液状ブタジエン／アクリロニトリル共重合体、液状ブタジエン／スチレン共重合体などの共重合体などが挙げられるがこれらに限定されない。
【００２３】  液状ブタジエン単独重合体としては、液状ポリブタジエンの他に、液状ヒドロキシ基末端変性ポリブタジエンおよびその水素添加物のようなヒドロキシ基変性ポリマーも挙げられる。液状ポリブタジエンの市販品としては、たとえば、クラプレンＬＢＲ（クラレ社）、ライコン（クレイバー社）、ＮＩＳＳＯ  ＰＢ  Ｂシリーズ（日本曹達社）などが使用できる。液状ヒドロキシ基末端変性ポリブタジエンの市販品としては、Ｐｏｌｙ  ｂｄ（出光興産社）、ＮＩＳＳＯ  ＰＢ  Ｇシリーズ（日本曹達社）などが使用できる。
【００２４】  液状ポリイソプレンとしては、液状ポリイソプレンの他に、ヒドロキシ基末端変性ポリイソプレンおよびその水素添加物のようなヒドロキシ基変性ポリマーも挙げられる。市販品としては、たとえば、クラプレンＬＩＲ−３０、ＬＩＲ−５０（クラレ社）等が使用できる。
【００２５】  液状クロロプレンの市販品としては、デンカＬＣＲ（デンカ社）、ネオプレン（デュポン社）などが使用できる。
【００２６】  液状ブタジエン／スチレン共重合体の市販品としては、クラプレン  Ｌ−ＳＢＲ（クラレ社）、ライコン（クレイバー社）などが使用できる。
【００２７】  液状ポリα−オレフィン、液状エチレン／α−オレフィン共重合体、液状エチレン／α−オレフィン／非共役ジエン共重合体におけるα−ポリオレフィンとしては、炭素数が３以上のα−オレフィン、たとえば、プロピレン、ブテン−１、ペンテン−１、４−メチルペンテン−１、ヘキセン−１などが挙げられる。この内、ブテンについては上記した。
液状ポリα−オレフィンについては、液状ホモポリマーおよび他のα−オレフィンの液状コポリマーであってもよい。市販品としては、たとえば、ＳｈｎｆｌｕｉｄＰＡＯ（シェブロンフィリップス社）その他各種合成潤滑油（ＳＵＭＩＣＯ社、ＮＯＫ社、シグマ社など）などが使用できる。
【００２８】  液状エチレン／α−オレフィン共重合体は、エチレン単位と、上記の炭素数が３以上のα−オレフィンからなる単位とを含むエチレン／α−オレフィン共重合体であり、たとえば、液状エチレン／プロピレン共重合体（液状ＥＰＭ）は、エチレン含量が２０〜９０重量％のものが好ましく、市販品としては、たとえば、トライレンＣＰ７０、トライレンＣＰ８０（ユニロイヤル化学社）、ルーカント（三井化学社）などが使用できる。
【００２９】  液状エチレン／α−オレフィン／非共役ジエン共重合体は、エチレン単位と、上記の炭素数が３以上のα−オレフィン単位と非共役ジエン単位とを含む共重合体であり、たとえば、液状エチレン／プロピレン／非共役ジエン共重合体（液状ＥＰＤＭ）は、非共役ジエンとして、１，４−ヘキサジエン、ジシクロペンタジエン、エチリデンノルボルネン、メチレンノルボルネン、プロピリデンノルボルネン、メチルテトラヒドロインデンなどを共重合したものである。市販品の液状ＥＰＤＭとしては、たとえば、トライレン６５、トライレン６７（ユニロイヤル化学社）などが使用できる。
【００３０】  本発明における液状ポリマーのＧＰＣ（ゲル浸透クロマトグラフィー）を用いて測定した重量平均分子量は、好ましくは１００以上１０，０００以下であり、より好ましくは２００以上５，０００以下であり、特に好ましくは３００以上３，０００以下である。
重量平均分子量が１００以上であると液状ポリマーの揮発性が大きすぎず、木の表面を疎水化する期間が長くなる。逆に分子量が１０，０００以下であると、木に含浸しやすく木の内部にはいり、木の表面がべたべたしにくく、フロアとして使うことができる。
【００３１】  本発明における２０℃で液状である疎水性の液状ポリマーの木の一時的反り防止剤は、液状であるので木の中に含浸しやすい。木の一時的反り防止剤を木に塗布すると、木の表面または内部に侵入していくが、２０℃で液状であるので表面から徐々に揮発していき、木の中ほどにある反り防止剤も木の表面付近に移動する。この反り防止剤が木の表面または表面付近に存在する限りは木の表面は疎水性を示し、湿気は木の中に入ってこないので、木の反りが発生しにくい。しかしながら、いずれは木の一時的反り防止剤が木の中になくなるので湿気が入ってきて反りが発生する。このように木の一時的反り防止剤の効果はある期間の一時的である。木の中に常に反り防止剤があるためには定期的に一時的反り防止剤を木に補給する必要がある。したがって、本発明の木の一時的反り防止剤を木質フロアまたは表面コーティングした木質フロアの定期的なメンテナンス用として時々付与すれば効果が持続することになる。
【００３２】  （木の一時的反り防止剤の使用方法）
木の一時的反り防止剤を溶媒で希釈混合して、木質フロアに適当な量を付与するのが好ましい。付与方法としてはスプレー塗布、モップ塗布、刷毛塗りなどの塗布方法や、液に浸漬する含浸方法などの方法が挙げられるが、これらに限定されない。好ましいのは塗布方法である。木に一時的反り防止剤を少量塗布する場合は不均一になりやすいが、溶剤で希釈して塗布すると均一な塗装ができる。また、一時的反り防止剤の粘度が高すぎて塗布しにくい場合は溶媒に希釈して適当な粘度に下げて塗布するのが好ましい。溶媒としては、水や有機溶剤が挙げられる。有機溶剤としては、炭化水素系溶剤が好ましく、その中でも弱溶剤である脂肪族炭化水素がより好ましい。
【００３３】  脂肪族系炭化水素しては、ｎ−ヘキサン、ｎ−ヘプタンなどの脂肪族炭化水素単独の有機溶剤、脂肪族炭化水素と脂環族炭化水素との混合溶剤、あるいは脂肪族炭化水素と芳香族炭化水素との混合溶剤を使用することができる。
【００３４】  これらの市販品としては、「マルカゾールＲもしくはＥ」または「スワゾール３１０」（共に、丸善石油社）；「ＬＡＷＳ」、「ＨＡＷＳ」または「シェルゾール７０もしくは７１」（共に、オランダ国シェル社）；「ダイアナ・ソルベントＮｏ．０もしくはＮｏ．１」（出光興産社）、「ＩＰソルベント１０１６、１０２０もしくは１６２０」［同上］；「シェルゾールＤ−４０」（オランダ国シェル社）；「Ａソルベント」、「Ｋソルベント」または「ＡＦソルベント」（共に、新日本石油社）；あるいは「エクソンナフサＮｏ．３、Ｎｏ．５もしくはＮｏ．６」、「エクソールＤ−３０、Ｄ−４０、Ｄ−６０もしくはＤ−７０」または「アイソパーＣ、Ｅ、ＧもしくはＨ」（エクソン化学社）などが挙げられ、単独使用でも、２種以上の併用でもよい。
【００３５】  脂肪族炭化水素と共に、トルエン、キシレン、「ソルベッソ１００」（エクソン化学社）の芳香族系炭化水素；メタノール、エタノール、プロパノール、ｎ−ブタノールなどのアルコール；酢酸エチル、酢酸ブチルなどの酢酸エステル；メチルエチルケトン、メチルイソブチルケトンなどのケトン；プロピレングリコールエーテル；プロピレングリコールエーテルエステルまたはエトキシエチルプロピオネートなどを使用することができる。
また、溶媒が水の場合には、反り防止剤は水に溶解しにくいので、界面活性剤などを加えて水に分散して使用することができる。
【００３６】  木の一時的反り防止剤を溶媒１００質量部に対して好ましくは０．１質量％以上５質量％以下混合するのがよい。木の一時的反り防止剤が０．１質量％以上であると反り防止効果を発揮しやすい。５質量％以下であると木の表面がべたべたせず、フロアが乾きやすいい。
【００３７】  （メンテナンス用洗浄剤）
上記の木の一時的反り防止剤は、メンテナンス用洗浄剤として有効に適用できる。メンテナンス用洗浄剤は、本発明における木の一時的反り防止剤を０．１質量％以上５質量％以下、および炭素数６以上１８以下の脂肪族炭化水素を９５質量％以上含む。
炭素数６未満の脂肪族炭化水素であると揮発性が大きく木に塗布する作業において人体に害を与える可能性が大きい。炭素数１８を超える脂肪族炭化水素であると、木に塗布したときの乾きが遅くメンテナンス用洗浄剤の溶媒として使用しにくい。
【００３８】  メンテナンス用洗浄剤は、全体の質量に対して炭素数６以上１８以下の脂肪族炭化水素を９５質量％以上および木の一時的用反り防止剤を０．１質量％以上５質量％以下混合する。木の一時的反り防止剤が０．１質量％未満であると反り防止効果が発揮できにくい。５質量％を超えると木の表面がべたべたして、フロアが乾きにくい。好ましくは０．２質量％以上２．０質量％以下である。
また、脂肪族炭化水素は、弱溶剤であり、表面コーティングした樹脂を溶解しにくい。
【００３９】  炭素数６以上１８以下の脂肪族炭化水素としては、ヘキサン、ヘプタン、オクタン、ノナン、デカン、ウンデカン、ドデカン、テトラデカン、ペンタデカン、ヘキサデカンおよびこれらの異性体、これらの混合物が挙げられる。また、これらの脂肪族炭化水素に上記の脂環族炭化水素、芳香族炭化水素、アルコール、エステル、ケトン、エーテルなどを併用することができる。
【００４０】  メンテナンス用洗浄剤には、通常配合される香料、抗菌剤、消臭剤、界面活性剤などが配合されていてもよい。
メンテナンス用洗浄剤は、上記の原料を室温で混合して容易に製造することができる。
メンテナンス用洗浄剤は、木質フロアや表面コーティングした木質フロアに対して１日〜数ヶ月毎に定期的に適用され、これをモップなどで拭くと、フロアを洗浄し、チリや埃を除去して床面に光沢を与えると共に、適度な耐スリップ性を付与する。
本発明のメンテナンス用洗浄剤を定期的に適用すると、表面コーティングした木質フロアの樹脂膜が劣化して剥れても、そこから水分が入りにくく接触する木質床材どうしの反りを防止することができる。
【００４１】  木の一時的反り防止剤またはメンテナンス用洗浄剤を定期的に塗布した木質フロアまたは表面コーティングした木質フロアは、接触する木質床材どうしが反り上がるということがなく、安全に使用できる木質フロアである。
【実施例】
【００４２】  以下に実施例を挙げて本発明を具体的に説明するが、本発明はこれらに限定されるものではない。部は質量部を示す。
【実施例１】
【００４３】  ２０℃における粘度が６０ｍＰａ・ｓのエチレン／プロピレン共重合体（三井化学社、商品名「ルーカントＨＣ−１０」）を木の一時的反り防止剤Ｉとした。
【実施例２】
【００４４】  炭素数９の脂肪族系炭化水素であるノナンと炭素数１１の脂肪族系炭化水素であるウンデカンの質量で１／１の混合物５００質量部を溶媒とし、４０℃における動粘度が３４５０ｍｍ２／ｓのポリブテン（新日本石油社、商品名「ＨＶ−５０」）（液状ポリマー、木の反り防止剤ＩＩ）を２．５質量部配合し混合してメンテナンス用洗浄剤Ｉを得た。【００４５】  （試験１）
５ｃｍ×５ｃｍ×１ｃｍの木質フロア用の無垢材を４枚準備し、２枚についてそれぞれ上記の木の一時的反り防止剤Ｉ、メンテナンス用洗浄剤Ｉを刷毛で塗布して室内に放置した。比較として、メンテナンス用洗浄剤Ｉにおける溶媒のみを塗布した板、これらを塗布しない上記の木質フロア用の無垢板を準備して室内に置き、塗布後１日経過後、１０日経過後、３０日経過後に上からスポイドで水道水を１滴たらし、水が木の中に吸い込まれる時間（消失時間：分）を測定した。これを５回繰り返してその平均値をとった。その結果を表１に示した。【００４６】
【表１】
2019105150.tif 000003
【００４７】  上記の木質フロア用の無垢板に木の一時的反り防止剤Ｉおよびメンテナンス用洗浄剤Ｉを塗布した板は、塗布経過後３０日経過しても消失時間は２分程度あり、一時的反り防止剤が木の中に残っていて木の表面およびその近傍が疎水性を示すことがわかった。これに対して、溶媒のみを塗布した板および無垢板は塗布１日経過後においても１分以内に消失し、疎水性が乏しいかないことがわかった。
【実施例３】
【００４８】  炭素数８の脂肪族炭化水素であるオクタン１００質量部と炭素数１２の脂肪族炭化水素であるドデカン４００質量部との混合物５００質量部を溶媒とし、２０℃における粘度が８００ｍＰａ・ｓの液状ポリブタジエン（デグサＡＧ社、商品名「ポリオイル１１０」）（液状ポリマー、木の反り防止剤ＩＩＩ）を１５質量部配合混合してメンテナンス用洗浄剤ＩＩを得た。
【実施例４】
【００４９】  炭素数１０の脂肪族系炭化水素であるデカンと炭素数１３の脂肪族系炭化水素であるトリデカンの質量で１／１の混合物５００質量部を溶媒とし、２０℃における粘度が２，２００ｍＰａ・ｓのエチレン／プロピレン共重合体（三井化学社、商品名「ルーカントＨＣ−１５０」）（液状ポリマー、木の反り防止剤ＩＶ）を５質量部配合混合してメンテナンス用洗浄剤ＩＩＩを得た。【００５０】（試験２）
体育館（ウレタンコーティング塗装された木質フロア）の一部の５０ｍ２ずつにメンテナンス用洗浄剤Ｉ〜ＩＩＩ、市販の水性ワックスエマルション、水のみの５つの液を用いて、２回／月のペースで塗布を繰り返した。１年後にフロアの表面を観察したところ、メンテナンス用洗浄剤Ｉ〜ＩＩＩを用いたところは一部剥れていたが、反りもなくフラット表面であったが、水性ワックスエマルション、水のみの洗浄では若干盛り上がり（反り）がみられ完全にフラットではなかった。
本発明のメンテナンス用洗浄剤を、木質フロアや表面コーティングした木質フロアに定期的に洗浄すると、コーティングの下の木質床材どうしが接触する箇所で反り上がるということがない。すなわち、本発明において、一時的反り防止剤を含むメンテナンス用洗浄剤を  木質フロアや表面コーティングした木質フロアに定期的に付与すれば、長期間反りが防止できることを確認した。
【符号の説明】
【００５１】    １  木質床材
２  コーティング膜
３  剥れ
４  木の反り
【図１】
2019105150.tif 000004
【手続補正書】
【提出日】平成30年11月21日(2018.11.21)
【手続補正１】
【補正対象書類名】特許請求の範囲
【補正対象項目名】全文
【補正方法】変更
【補正の内容】
【特許請求の範囲】
【請求項１】
木質フロアまたは表面コーティングした木質フロアに付与することにより接触する木質床材どうしの反りを一時的に抑制する木の一時的反り防止剤であって、
前記木の一時的反り防止剤は、２０℃においてそれ自体で液状である疎水性の液状ポリマーであり、木質フロアまたは表面コーティングした木質フロアに付与し木の表面または表面近傍を一時的に疎水性として木質床材どうしの反りを一時的に抑制する木の一時的反り防止剤。
【請求項２】
前記２０℃においてそれ自体で液状である疎水性の液状ポリマーが、液状ポリ酢酸ビニル系樹脂、液状ウレタン系樹脂、液状アクリル系樹脂、液状ポリエステル系樹脂、液状ポリオレフィン樹脂、液状ポリオキシアルキレンオキシド樹脂、液状ポリアミド系樹脂、液状ポリスルフィド系樹脂、液状シリコーン系樹脂、液状可撓性エポキシ系樹脂、液状天然ゴムから選択される１種または２種以上であることを特徴とする請求項１記載の木の一時的反り防止剤。
【請求項３】
前記２０℃においてそれ自体で液状である疎水性の液状ポリマーが、液状ポリオレフィン樹脂であることを特徴とする請求項１または２記載の木の一時的反り防止剤。
【請求項４】
前記２０℃においてそれ自体で液状である疎水性の液状ポリマーの重量平均分子量が１００以上１０．０００以下であることを特徴とする請求項１ないし３のいずれか１項に記載の木の一時的反り防止剤。
【請求項５】
請求項１ないし４のいずれか１項に記載の木の一時的反り防止剤を溶媒で希釈混合して、木質フロアまたはコーティングした木質フロアに付与することを特徴とする木の一時的反り防止剤の使用方法。
【請求項６】
請求項１ないし４のいずれか１項に記載の木の一時的反り防止剤を０．１質量％以上５質量％以下、および炭素数６以上１８以下の脂肪族炭化水素を９５質量％以上含むことを特徴とする木質フロアまたは表面コーティングした木質フロアのメンテナンス用洗浄剤。
【請求項７】
請求項１ないし４のいずれか１項に記載の木の一時的反り防止剤または請求項６記載のメンテナンス用洗浄剤を付与した木質フロアまたは表面コーティングした木質フロア。
【手続補正２】
【補正対象書類名】明細書
【補正対象項目名】０００６
【補正方法】変更
【補正の内容】
【０００６】  本発明者らは、上記の課題に鑑み、鋭意研究の結果、２０℃においてそれ自体で液状である疎水性の液状ポリマーを木に付与すれば一定期間一時的に反りが防止できることを見出し、本発明を完成するに至った。
【手続補正３】
【補正対象書類名】明細書
【補正対象項目名】０００７
【補正方法】変更
【補正の内容】
【０００７】  請求項１に記載の発明は、木質フロアまたは表面コーティングした木質フロアに付与することにより接触する木質床材どうしの反りを一時的に抑制する木の一時的反り防止剤であって、
前記木の一時的反り防止剤は、２０℃においてそれ自体で液状である疎水性の液状ポリマーであり、木質フロアまたは表面コーティングした木質フロアに付与し木の表面または表面近傍を一時的に疎水性として木質床材どうしの反りを一時的に抑制する木の一時的反り防止剤である。
【手続補正４】
【補正対象書類名】明細書
【補正対象項目名】０００８
【補正方法】変更
【補正の内容】
【０００８】  請求項２に記載の発明は、前記２０℃においてそれ自体で液状である疎水性の液状ポリマーが、液状ポリ酢酸ビニル系樹脂、液状ウレタン系樹脂、液状アクリル系樹脂、液状ポリエステル系樹脂、液状ポリオレフィン樹脂、液状ポリオキシアルキレンオキシド樹脂、液状ポリアミド系樹脂、液状ポリスルフィド系樹脂、液状シリコーン系樹脂、液状可撓性エポキシ系樹脂、液状天然ゴムから選択される１種または２種以上であることを特徴とする請求項１記載の木の一時的反り防止剤である。
【手続補正５】
【補正対象書類名】明細書
【補正対象項目名】０００９
【補正方法】変更
【補正の内容】
【０００９】  請求項３に記載の発明は、前記２０℃においてそれ自体で液状である疎水性の液状ポリマーが、液状ポリオレフィン樹脂であることを特徴とする請求項１または２記載の木の一時的反り防止剤である。
【手続補正６】
【補正対象書類名】明細書
【補正対象項目名】００１０
【補正方法】変更
【補正の内容】
【００１０】  請求項４に記載の発明は、前記２０℃においてそれ自体で液状である疎水性の液状ポリマーの重量平均分子量が１００以上１０．０００以下であることを特徴とする請求項１ないし３のいずれか１項に記載の木の一時的反り防止剤である。